(57)【要約】【課題】強く締め込んでも固着することなく、優れた固定力を形成することのできるリールシートを備えた釣竿を提供すること。【解決手段】リールシート本体１２のリール脚載置面１８上に、魚釣用リールの取付脚部７ａを両端側から押圧固定する一対のフード１４，２２を備え、少なくとも一方がリール脚載置面１８の長手方向に沿って移動される移動フード１４として形成されるリールシート１０を備える釣竿であって、この移動フード１４は、固定フード２２側およびリール脚載置面１８側に開口し、取付脚部７ａを受入れる開口部３４と、この開口部３４の径方向反対側に形成された空隙部４０と、この空隙部４０と軸方向孔１４ａとの間に配置された締付部４２とを有し、取付脚部７ａが開口部３４の内面でリール脚載置面１８側に押圧されたときに、締付部４２が空隙部４０側に拡径し、開口部３４を囲む壁部３５に周方向に作用する締付力を形成する釣竿。【選択図】      図３
2010035429.tif 000002
【特許請求の範囲】
【請求項１】
魚釣用リールの取付脚部を載置するリール脚載置面を形成したリールシート本体と、魚釣用リールの取付脚部を、リール脚載置面上に両端側から押圧固定する一対のフードとを備え、この一対のフードの少なくとも一方は、リールシート本体が挿通する軸方向孔を有し、リール脚載置面の長手方向に沿って移動される移動フードとして形成されるリールシートを備えた釣竿であって、
前記移動フードは、他方のフード側およびリール脚載置面側に開口し、前記取付脚部を受入れる開口部と、この開口部の径方向反対側に形成された空隙部と、この空隙部と軸方向孔との間に配置された締付部とを有し、前記取付脚部が開口部の内面でリール脚載置面側に押圧されたときに、締付部が空隙部側に拡径し、前記開口部を囲む壁部に周方向に作用する締付力を形成することを特徴とする釣竿。
【請求項２】
前記空隙部は、他方のフード側で、前記開口部よりも周方向に長く開口することを特徴とする請求項１に記載の釣竿。
【請求項３】
前記締付部は、前記空隙部と開口部との間の側壁部よりも薄肉構造に形成されていることを特徴とする請求項１又は２に記載の釣竿。
【請求項４】
前記空隙部は、開口部よりも軸方向に長く形成されていることを特徴とする請求項１から３のいずれか１つに記載の釣竿。
【請求項５】
前記移動フードは、金属で形成されたカバー部材と、このカバー部材内に収容されて、前記開口部と締付部とを形成する樹脂製のフード本体とを有し、前記空隙部はこのフード本体とカバー部材との間に形成されることを特徴とする請求項１から４のいずれか１つに記載の釣竿。
【発明の詳細な説明】
【技術分野】
【０００１】
本発明は、魚釣用リールを取付けるリールシートを備えた釣竿に関する。
【背景技術】
【０００２】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、一方をリール脚載置面に沿って移動し、これらの一対のフード間に取付脚部を挟持させることにより、リールを釣竿に装着する。
【０００３】
このような、リールシートには、金属製フードをプラスチック製螺環の前端に回転自在に係合し、この螺環の回転にしたがって筒状リールシート上を長手方向に移動し、対向する固定フードと共に、受入れたリールの取付脚部をリール脚載置面に押圧し、保持するものがある（例えば特許文献１参照）。
【特許文献１】特開平８−１９６１７０号公報
【発明の開示】
【発明が解決しようとする課題】
【０００４】
このように、別部材である螺環で移動され、固定フードと共に取付脚部を固定する移動フードは、締込み過ぎると、金属製の取付脚部との間で固着することがある。特に強固に固着した場合には、移動フードが取付脚部を固定した状態のまま、螺環がこの移動フードから分離する虞もある。
【０００５】
本発明は、このような事情に基づいてなされたもので、強く締め込んでも固着することなく、優れた固定力を形成することのできるリールシートを備えた釣竿提供することを目的とする。
【課題を解決するための手段】
【０００６】
上記目的を達成するため、本発明によると、魚釣用リールの取付脚部を載置するリール脚載置面を形成したリールシート本体と、魚釣用リールの取付脚部を、リール脚載置面上に両端側から押圧固定する一対のフードとを備え、この一対のフードの少なくとも一方は、リールシート本体が挿通する軸方向孔を有し、リール脚載置面の長手方向に沿って移動される移動フードとして形成されるリールシートを備えた釣竿であって、前記移動フードは、他方のフード側およびリール脚載置面側に開口し、前記取付脚部を受入れる開口部と、この開口部の径方向反対側に形成された空隙部と、この空隙部と軸方向孔との間に配置された締付部とを有し、前記取付脚部が開口部の内面でリール脚載置面側に押圧されたときに、締付部が空隙部側に拡径し、前記開口部を囲む壁部に周方向に作用する締付力を形成する釣竿が提供される。
【０００７】
前記空隙部は、他方のフード側で、前記開口部よりも周方向に長く開口することが好ましい。
【０００８】
また、前記締付部は、前記空隙部と開口部との間の側壁部よりも薄肉構造に形成されていることが好ましい。
【０００９】
更に、前記空隙部は、開口部よりも軸方向に長く形成されてもよい。
【００１０】
前記移動フードは、金属で形成されたカバー部材と、このカバー部材内に収容されて、前記開口部と締付部とを形成する樹脂製のフード本体とを有し、前記空隙部はこのフード本体とカバー部材との間に形成することも可能である。
【発明の効果】
【００１１】
本発明のリールシートによると、魚釣用リールの取付脚部に、移動フードの開口部の内面がリール脚載置面側に押圧する押圧力と、開口部を囲む壁部に作用する周方向の締付力によるリールシート本体の中心軸側に付勢する付勢力とが作用することで優れた固定力を形成し、この固定力が、リール脚載置面側に押圧する押圧力だけでなく、種々の方向に作用する付勢力を含むことにより、特定部位に力が集中せず、強く締め込んでも移動フードが固着するのが防止される。
【００１２】
空隙部が開口部よりも周方向に長く開口する場合には、締付部の拡径が容易になり、周方向に作用する締付力を増大することができる。
【００１３】
また、締付部が空隙部と開口部との間の側壁部よりも薄肉構造に形成される場合には、側壁部の変形を吸収するのが防止される。
【００１４】
空隙部が開口部よりも軸方向に長く形成されている場合には、より広い範囲で、例えば開口部を囲む壁部の全体にわたって締付力を形成することができる。
【００１５】
空隙部が、金属製のカバー部材と樹脂製のフード本体との間に形成される場合には、空隙部の所要の容積を維持しつつ移動フードの外径を小さく形成することができる。
【発明を実施するための最良の形態】
【００１６】
図１は、本発明の好ましい実施形態によるリールシート１０を用いた釣竿８示す。
【００１７】
この釣竿８は、穂先側から順に大径に形成した複数の竿杆を順に継合し、最も大径の元側竿杆６にリールシート１０を設け、このリールシート１０に魚釣用リール７の取付脚部７ａを取付けてある。この釣竿８には、竿杆の外面に釣り糸が付着するのを防止する釣糸ガイド５が、魚釣用リール７と同じ側で、釣竿８の穂先に向けて所定間隔をおいて固定され、竿先にはトップガイド５ａが取付けられている。このような釣糸ガイド５の個数および配置位置は、図示の例に限らず、任意に設定することが可能である。
【００１８】
このような外通し式に代えて、魚釣用リール７から繰出した釣糸を釣竿８の竿杆内に導入し、この竿杆内で案内した後、中空構造の穂先竿から外部に導出する中通し式とすることも可能である。また、釣竿８は振出し式、いんろう継ぎ、並継ぎあるいは逆並継ぎ等の適宜の継ぎ形式のもの、又は、1本の竿杆のみで形成したものであってもよい。
【００１９】
図２および図３に示すように、本実施形態のリールシート１０は、魚釣用リール７を取付けるための中空管状構造のリールシート本体１２を備える。このリールシート本体の例えば前端側である軸方向の一端側の外周面には、後述するネジを形成してあり、このネジに沿って移動フード１４が軸方向に移動自在に装着される。また、後端側には、例えばＥＶＡ、合成ゴム、エラストマー等の柔軟な合成樹脂、あるいは、コルク、木等の天然材により、滑り難くかつ柔軟で握持し易く形成された中空管状構造の後部握り部１６が例えば接着剤を用いて一体的に結合される。本実施形態では、リールシート本体１２の後端に形成した凹部に後部握り部１６の先端部が嵌合し、同軸状に連続して配列した内孔内に、繊維強化樹脂製であるのが好ましい竿杆６が挿通され、例えば接着剤を用いて強固に固着される。この竿杆６は、中空構造あるいは中実構造のいずれであってもよい。
【００２０】
リールシート本体１２は、合成樹脂（例えばナイロンやＡＢＳ等）あるいは金属（例えばＳＵＳ、アルミニウム、チタン、真鍮等）等の適宜の材料から筒状に形成され、図では下側に示す一側に、魚釣用リール７の取付脚部７ａを載置するリール脚載置面１８が形成されている。更に、このリールシート本体１２には、移動フード１４に向けて開口部２０を前方に向けて開口させた固定フード２２が一体的に設けられている。この固定フード２２の開口部２０は、後方に向けて次第に内面の高さが低くなり、この開口部２０から受入れた取付脚部７ａの一端が内方に押圧されたときに、この取付脚部７ａをリール脚載置面１８側に付勢する。本実施形態の固定フード２２は、リールシート本体１２と一体構造に形成してある。これに代え、金属又は硬質の合成樹脂でリールシート本体１２と別体構造に形成し、リールシート本体１２に強固に固定してもよい。金属で形成する場合には、リールの取付脚部に当接する部位に樹脂製部材を配置し、金属間の接触による各部材の損傷を防止することが好ましい。
【００２１】
このリールシート本体１２は、リール脚載置面１８の反対側を僅かに膨出させ、握持する手で握り込んだときに、母指球またはその近部を支えることで握持しやすい湾曲形状の外面を有する握り部２４を形成してあり、この握り部２４の後端側に形成した後方突出部２４ａが、固定フード２２を超えて後方に突出する。この後方突出部２４ａは、後方に収束する略三角形状の形状を有し、例えば釣竿が湾曲したときにリール脚載置面１８の反対側で、後部握り部１６とリールシート本体１２tの間に隙間が発生するのを防止する。また、握り部２４の両側部は、この握り部２４の湾曲面よりも平坦状の外面に形成し、握持する手の親指と人差し指および中指との間で挟持し易い形状に形成してある。このリールシート本体１２の内部は、例えば握り部２４側に、リブ２６ａで仕切られた複数の空洞部２６を形成し、軽量化することが好ましい。
【００２２】
図４に示すように、リールシート本体１２の前端側には、握り部２４との間に段差を形成する縮径部２８が配置される。この縮径部２８は、握り部２４に隣接した部位で前方に縮径するテーパ部２８ａと、このテーパ部の前方に位置する円筒状部２８ｂとを有し、円筒状部２８ｂの外周面に、移動フード１４の後述するナット部材３０が螺合するネジを形成してある。リール脚載置面１８は、固定フード２２の開口部２０内から、これらのテーパ部２８ａおよび円筒状部２８ｂにわたって前端側まで延びる。同図の（Ｃ）に示すように、このリール脚載置面１８を形成した部位には、ネジが形成されていない。更に、リール脚載置面１８の反対側では、リール脚載置面１８と略平行な平坦面２９ａをテーパ部２８ａに形成し、ネジ山を横切る軸方向溝２９ｂ（同図（Ａ））を円筒状部２８ｂに延設してある。この軸方向溝２９ｂにより、後述する移動フード１４の後述するフード本体３２を、回転を防止しつつ軸方向に沿って案内することができる。
【００２３】
図５に示すように、本実施形態の移動フード１４は、リールシート本体１２の縮径部２８が挿通される軸方向孔１４ａを貫通させたスリーブ状に形成してあり、ナット部材３０とこのナット部材３０の後端に回転自在に連結されたフード本体３２とを有する。
【００２４】
ナット部材３０は、縮径部２８の雄ネジに螺合する雌ネジを内周側に形成した内スリーブ３０ａと、この内スリーブ３０ａの外周に、例えば接着剤で一体的に形成した、滑り難くかつ柔軟で回転操作し易い外スリーブ３０ｂとを有する。内スリーブ３０ａの後端部は、フード本体３２の前端部と互いに回転自在でかつ抜けを防止された状態で連結されている。図示の実施形態では、内スリーブ３０ａの拡径した後端凹部に、フード本体３２の前端小径部を挿入し、互いに対向する周面に形成した周方向に延びる突条と周方向溝とを嵌合することにより、自在に相対回転を可能としつつ抜けを防止しているが、これとは逆に凹部をフード本体３２に設け、小径部をナット部材３０側に設けてもよい。また、周方向に延びる突条は、全周にわたって連続することが好ましいが、不連続であってもよい。
【００２５】
このナット部材３０で軸方向に移動されるフード本体３２は、後方および内周側に開口し、魚釣用リール７の取付脚部７ａの前端を受入れる開口部３４を有し、この開口部３４の前方には、リール脚載置面１８に対向する平坦面３６を形成してある。この開口部３４は、移動フード１４をリールシート本体１２の縮径部２８に装着したときに、固定フード２２の開口部２０に対向する。この開口部３４は、固定フード２２の開口部２０とは逆に、前方に向けて次第に内面の高さが低くなり、後方に移動されたときに、この開口部３４内に受入れた取付脚部７ａをリール脚載置面１８側に付勢する。
【００２６】
この平坦面３６の径方向反対側で軸方向に延びる突起３８は、縮径部２８のネジ部の少なくとも１ピッチ以上の長さに形成され、後方に締め込んだときにテーパ部２８ａに対向する部位には形成されない。
【００２７】
この突起３８が形成される上側部位は、外面が、ナット部材３０側から後方に向け、リールシート本体１２の握り部２４の外面に沿う状態に径方向外方に膨出する。この上側部位の外面は、周方向に沿ってみたときに、開口部３４を形成した下側部位よりも大径の湾曲面を形成し、上側部位と下側部位との間の両側部は、リールシート本体１２と同様に下方に向けて収束する平坦状の傾斜面を形成しており、ナット部材３０の円筒状の外面から、リールシート本体１２の外面に滑らかに移行し、握持し易い形状に形成してある。
【００２８】
そして、フード本体３２の上側部位には、後方に開口する空隙部４０を形成し、この空隙部４０と軸方向孔１４ａとの間に薄肉構造の締付部４２を形成してある。
【００２９】
空隙部４０は、周方向に沿って円弧状に延び、開口部３４よりも周方向に長い開口を形成すると共に、開口部３４よりも軸方向に長い距離にわたって、ほぼ等しい幅寸法を有し、平坦面４２ａを形成した部位を除き、締付部４２の肉厚を略一定に維持するのが好ましい。この締付部４２の肉厚は、開口部３４を囲む壁部３５の最も薄い後端部よりも、薄く形成することが好ましい。いずれの場合も、締付部４２は、空隙部４０と開口部３４との間の側壁部４４よりも薄肉構造に形成するのが好ましく、この場合には、後述するように、締付部４２が拡径して変形したときに、側壁部４４の変形を吸収するのが防止され、締付部４２の変形による締付力を、開口部３４を囲む壁部３５に確実に伝達することができる。
【００３０】
この締付部４２の平坦面４２ａは、リールシート本体１２のテーパ部２８ａに形成した平坦面２９ａに対向する部位に形成してあり、移動フード１４をリールシート本体１２の縮径部２８に装着し、取付脚部７ａをリール脚載置面１８上に締付けたときに、テーパ部２８ａの平坦面２９ａに当接し、開口部３４に隣接する平坦面３６と共に、フード本体３２の傾動および回動を阻止する。
【００３１】
図６および図７は、このように形成した移動フード１４を用いてリールシート１０に魚釣用リール７の取付脚部７ａを固定する状態を示す。
【００３２】
まず、図６に示すように、リールシート本体１２のリール脚載置面１８に取付脚部７ａを当接させ、後端部を固定フード２２の開口部２０（図３）内に挿入し、移動フード１４のナット部材３０を回転してフード本体３２を後方に移動する。このフード本体３２の開口部３４内に取付脚部７ａの前端を収容し、フード本体３２の締付部４２は、縮径部２８のテーパ部２８ａの平坦部２９ａに当接する。このとき、開口部３４の内面は、取付脚部７ａをリール脚載置面１８側に押圧する押圧力を形成する。
【００３３】
図７に示すように、ナット部材３０を更に締付け、フード本体３２をテーパ部２８に押圧すると、締付部４２が空隙部４０内に拡径され、締付部４２には、開口部３４を囲む壁部３５に周方向の力が作用する。特に、締付部４２の平坦部４２ａがテーパ部２８の平坦面２９ａに当接することにより、この平坦部４２ａの両側で拡径する方向の力が、側壁部４４を空隙部４０側に引き寄せる方向に作用する。このような締付部４２の拡径による周方向の締付力が取付脚部７ａをリールシート本体１２の中心軸側に付勢する付勢力が、開口部３４の内面による押圧力に加えて取付脚部７ａの固定力として作用する。
【００３４】
このように、魚釣用リール７の取付脚部７ａをリール脚載置面１８に押圧する押圧力に加えて固定力として付勢力が作用することで、より強固な優れた固定力が形成されると共に、この付勢力が、締付部４２の拡径による周方向の力で形成されることにより、種々の方向に作用する付勢力を含むことにより、特定部位に力が集中せず、また、過剰な締込みが防止され、強く締め込んでも移動フードが固着するのが防止される。
【００３５】
このリールシート１０は、移動フード１４をリールシート本体１２の縮径部２８上に強く締め込んでも固着することなく、魚釣用リール７の取付脚部７ａに対する優れた固定力を形成することができる。
【００３６】
特に、空隙部４０が開口部３４よりも周方向に長く開口する場合には、締付部４２の拡径が容易になり、周方向に作用する締付力を増大することができ、締付部４２が側壁部４４よりも薄肉構造に形成される場合には、側壁部４４が締付部４２の変形を吸収するのを防止し、周方向の締付力を壁部３５に好適に伝達することができる。また、空隙部４０が開口部３４よりも軸方向に長く形成されている場合には、開口部３４を囲む壁部３５の軸方向の全体にわたって締付力を形成することができる。
【００３７】
このような優れた固定力を形成する移動フード１４は、剛性および柔軟性の理由から、フード本体３２を、例えばナイロン、ナイロンガラス補強材等の材料で形成するのが好ましい。ナット部材３０の内スリーブ３０ａは、剛性確保ののために、ナイロンガラス補強材で形成し、外スリーブ３０ｂは、握持性向上のために、ＥＶＡ、コルクで形成するのが好ましい。
【００３８】
図８および図９は、リールシート１０の他の実施形態を示す。なお、この実施形態も、基本的には上述の実施形態と同様であるため、同様な部位には同様な符号を付し、その詳細な説明を省略する。
【００３９】
この実施形態では、移動フード１４のフード本体３２Ａが、金属で形成されたカバー部材５０で覆われ、このカバー部材５０を介してナット部材３０の内スリーブ３０ｂに回転自在かつ軸方向に抜け止めされた状態に連結されている。空隙部４０は、フード本体３２Ａの締付部４２とカバー部材５０との間に形成してある。このフード本体３２Ａは、上述のように上側部位が下側部位よりも大径の湾曲面を形成した非円形の外形形状を有するため、フード本体３２Ａがカバー部材５０内で移動することはないが、必要な場合には、接着剤を用いて一体的に結合してもよい。
【００４０】
このように、フード本体３２Ａを金属製のカバー部材５０で覆い、空隙部４０を、このカバー部材と樹脂製のフード本体３２Ａとの間に形成することにより、空隙部４０の所要の容積を維持しつつ移動フード１４の外径を小さく形成することができる。
【図面の簡単な説明】
【００４１】
【図１】本発明の好ましい実施形態によるリールシートを装着した釣竿の全体図。
【図２】図１に示す釣竿のリールシートの拡大図。
【図３】図２に示すリールシートの内部構造を示し、（Ａ）は縦断面図、（Ｂ）および（Ｃ）はそれぞれ（Ａ）のＢ線およびＣ線に沿う断面図。
【図４】図２に示すリールシートのリール本体を示し、（Ａ）は平面図、（Ｂ）は側面図、（Ｃ）は底面図、（Ｄ）は（Ｂ）の矢印Ｄ方向に沿う正面図。
【図５】図２に示すリールシートの移動フードを示し、（Ａ）は縦断面図、（Ｂ）は(Ａ）の矢印Ｂ方向に沿う図。
【図６】魚釣用リールの取付脚部をリールシートに固定する状態を示し、（Ａ）はリールシートの縦断面図、（Ｂ）は(Ａ)の矢印Ｂ方向に沿う図。
【図７】図６の状態から更に移動フードを締め込んだ状態を示し、（Ａ）はリールシートの縦断面図、（Ｂ）は(Ａ)の矢印Ｂ方向に沿う図。
【図８】他の実施形態によるリールシートの図６と同様な説明図。
【図９】他の実施形態によるリールシートの図７と同様な説明図。
【符号の説明】
【００４２】
７…魚釣用リール、７ａ…取付脚部、１０…リールシート、１２…リールシート本体、１４…移動フード、１４ａ…軸方向孔、１６…後部握り部、１８…リール脚載置面、２２…固定フード、３４…開口部、３５…壁部、４０…空隙部、４２…締付部。
【図１】
2010035429.tif 000003
【図２】
2010035429.tif 000004
【図３】
2010035429.tif 000005
【図４】
2010035429.tif 000006
【図５】
2010035429.tif 000007
【図６】
2010035429.tif 000008
【図７】
2010035429.tif 000009
【図８】
2010035429.tif 000010
【図９】
2010035429.tif 000011